【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
携帯コンピュータシステムにおいて、ビデオ記憶デバイスからビデオを表示する低電力な方法であって、
第１タイプインタフェースによって、前記携帯コンピュータシステムの表示部に接続された中央処理ユニットを、第２タイプインタフェースによって、前記表示部に接続されビデオ記憶デバイス中に記憶されたビデオデータを読み出すよう構成された動作可能に独立なビデオ再生ユニットをコンピュータコアに備えること、
ビデオ再生モードにおいてのみ、
前記ビデオ再生ユニットの電源をオンにすること、
もし前記コンピュータコアの電源がオンにされているなら前記コンピュータコアの電源をオフにすること、
前記ビデオデータをネイティブフォーマットで前記ビデオ記憶デバイスから読み出すこと、
前記ビデオデータを前記表示部に前記第２タイプインタフェースによって送ること、
前記ビデオデータを前記ネイティブフォーマットから表示フォーマットに変換すること、および
前記ビデオデータを表示すること
を含む方法。
【請求項２】
請求項１に記載の方法であって、前記ビデオ記憶デバイスはＤＶＤである方法。
【請求項３】
請求項２に記載の方法であって、
前記ビデオ再生ユニットは、
ハードウェアで実現されたＭＰＥＧデコーダと、
前記ＭＰＥＧデコーダに結合されてＤＶＤからＭＰＥＧデータを読み出すよう構成されたＤＶＤリーダユニットと、
を含む方法。
【請求項４】
請求項３に記載の方法であって、前記表示部は、前記第２タイプインタフェースによって前記ＭＰＥＧデコーダに結合されたフォーマット変換ユニットを含む方法。
【請求項５】
請求項４に記載の方法であって、前記読み出すことは、
前記ＭＰＥＧデータを前記ＤＶＤリーダユニットによって読み出すこと、
前記ＭＰＥＧデータを前記ＭＰＥＧデコーダに渡すこと、
前記ＭＰＥＧデータをデコードすることによってネイティブフォーマットを有するビデオデータを形成すること、
前記ネイティブフォーマットのビデオデータを前記フォーマット変換器に前記第２タイプインタフェースによって渡すこと、
前記ネイティブフォーマットのビデオデータをフォーマットすることによって、前記表示部に組み込まれたディスプレイ上で表示するのに適した表示可能なフォーマットのビデオデータを形成すること、および
前記ビデオデータを前記ディスプレイ上で表示すること
を含む方法。
【請求項６】
請求項１に記載の方法であって、前記第１タイプインタフェースはＬＶＤＳタイプのインタフェースであって、前記第２タイプインタフェースはＩＴＵ−６５６準拠のタイプのインタフェースである方法。
【請求項７】
コンピュータで読み取り可能な媒体上で実現されたコンピュータプログラムであって、
第１タイプインタフェースによって、前記携帯コンピュータシステムの表示部に接続された中央処理ユニットを、第２タイプインタフェースによって、前記表示部に接続されビデオ記憶デバイス中に記憶されたビデオデータを読み出すよう構成された動作可能に独立なビデオ再生ユニットをコンピュータコアに備えること、
ビデオ再生モードにおいてのみ、前記ビデオ再生ユニットの電源をオンにすること、
もし前記コンピュータコアの電源がオンにされているなら前記コンピュータコアの電源をオフにすること、
前記ビデオデータをネイティブフォーマットで前記ビデオ記憶デバイスから読み出すこと、
前記ビデオデータを前記表示部に前記第２タイプインタフェースによって送ること、
前記ビデオデータを前記ネイティブフォーマットから表示フォーマットに変換すること、および
前記ビデオデータを表示すること
を実行されるときにコンピュータにさせるコードを含むコンピュータプログラム。
【請求項８】
請求項７に記載のコンピュータプログラムであって、前記ビデオ記憶デバイスはＤＶＤであるコンピュータプログラム。
【請求項９】
請求項８に記載のコンピュータプログラムであって、
前記ビデオ再生ユニットは、ハードウェアで実現されたＭＰＥＧデコーダ、および前記ＭＰＥＧデコーダに結合されてＤＶＤからＭＰＥＧデータを読み出すよう構成されたＤＶＤリーダユニットを含むコンピュータプログラム。
【請求項１０】
請求項９に記載のコンピュータプログラムであって、前記表示部は、前記第２タイプインタフェースによって前記ＭＰＥＧデコーダに結合されたフォーマット変換ユニットを含むコンピュータプログラム。
【請求項１１】
請求項１０に記載のコンピュータプログラムであって、前記読み出すことは、
前記ＭＰＥＧデータを前記ＤＶＤリーダユニットによって読み出すこと、
前記ＭＰＥＧデータを前記ＭＰＥＧデコーダに渡すこと、
前記ＭＰＥＧデータをデコードすることによってネイティブフォーマットを有するビデオデータを形成すること、
前記ネイティブフォーマットのビデオデータを前記フォーマット変換器に前記第２タイプインタフェースによって渡すこと、
前記ネイティブフォーマットのビデオデータをフォーマットすることによって、前記表示部に組み込まれたディスプレイ上で表示するのに適した表示可能なフォーマットのビデオデータを形成すること、および
前記ビデオデータを前記ディスプレイ上で表示すること
を含むコンピュータプログラム。
【請求項１２】
請求項７に記載のコンピュータプログラムであって、前記第１タイプインタフェースはＬＶＤＳタイプのインタフェースであって、前記第２タイプインタフェースはＩＴＵ−６５６準拠のタイプのインタフェースであるコンピュータプログラム。
【請求項１３】
第１タイプインタフェースによって、前記携帯コンピュータシステムの表示部に接続された中央処理ユニットを含むコンピュータコアを有する携帯コンピュータシステムにおいて、ＤＶＤからビデオを提供する低電力な方法であって、
前記携帯コンピュータの電源をオンにすること、
ＤＶＤ再生モードにおいてだけ、
前記第１タイプインタフェースをディセーブルすること、
第２タイプインタフェースによって、前記ディスプレイスクリーンに接続されたハードウェアＤＶＤデコーダを有するＤＶＤドライバユニット、およびビデオデータをそこに挿入されたＤＶＤから読み出すよう構成されたＤＶＤリーダユニットの電源をオンにすること、
前記ＤＶＤリーダユニットによって前記ＤＶＤから前記ビデオデータを読み出すこと、
前記ビデオデータを前記ＤＶＤリーダユニットによって前記ハードウェアＤＶＤデコーダユニットに送ること、
前記ビデオデータを前記ハードウェアＤＶＤデコーダによってデコードすること、
前記第２タイプインタフェースによって、前記ディスプレイスクリーンに結合されたタイミングコントローラユニットに前記デコードされたビデオデータを直接に渡すこと、
ネイティブ解像度における前記ビデオデータをディスプレイスクリーン解像度に変換すること、および
前記ディスプレイスクリーン上に前記変換されたビデオデータを表示すること
を含む方法。
【請求項１４】
請求項１に記載の方法であって、前記第１タイプインタフェースはＬＶＤＳタイプのインタフェースであって、前記第２タイプインタフェースはＩＴＵ−６５６準拠のタイプのインタフェースである方法。
【請求項１５】
請求項１に記載の方法であって、
標準動作モードにおいて、
前記第２タイプインタフェースをディセーブルすること、
前記コンピュータコアだけ電源をオンにすること、
オペレーティングシステムをブートアップすること、および
ビデオデータを前記ディスプレイスクリーンに前記第１インタフェースによって送ること
をさらに含む方法。
【請求項１６】
エンコードされたマルチメディアファイルを再生する携帯電池駆動の再生ユニットに含まれるのに適した、低電力の即時オンの再生システムであって、
プロセッサ、および
前記エンコードされたマルチメディアファイルをデコードすることによって、デコードされたマルチメディアデータストリームを形成する前記プロセッサとは別個の、独立に動作可能なハードウェアマルチメディアデコーダであって、前記マルチメディアファイルの再生中は、前記プロセッサは電源がオフにされ、前記デコードされたマルチメディアデータストリームは前記ユニットの表示部に組み込まれたタイミングコントローラユニットに直接に送られるデコーダ
を備えるシステム。
【請求項１７】
請求項１６に記載のシステムであって、前記タイミングコントローラユニットは、前記デコードされたマルチメディアデータストリームをネイティブフォーマットから適切な表示フォーマットに変換し、前記変換されたビデオデータの表示に必要なタイミングおよび制御信号を提供するシステム。
【請求項１８】
請求項１６に記載のシステムであって、前記再生ユニットは、ラップトップコンピュータまたはノートブックコンピュータであるシステム。
【請求項１９】
請求項１に記載のシステムであって、前記携帯コンピュータシステムは、ラップトップコンピュータシステムまたはノートブックコンピュータシステムであるシステム。
【請求項２０】
請求項７に記載のコンピュータプログラムであって、前記コンピュータはラップトップコンピュータまたはノートブックコンピュータであるコンピュータプログラム。
【請求項２１】
バッテリ駆動コンピュータ上でＤＶＤを再生する低電力な方法であって、
ビデオ再生専用モードにおいて、必要に応じてＣＰＵの電源をオフする工程と、
前記ＣＰＵとは分離された別個のＤＶＤユニットの電源をオンする工程と、
前記ＤＶＤユニットによってＤＶＤメディアデータを生成する工程と、
前記ＤＶＤメディアデータを表示ユニットに送る工程と、
前記表示ユニット上に前記ＤＶＤメディアデータのビデオ部分を表示する工程と、
を備える方法。
【請求項２２】
請求項２１記載の方法であって、さらに、
コンピュータモードにおいてのみ、前記ＣＰＵの電源をオンする工程と、
前記ＤＶＤユニットの電源をオフする工程と、
前記ＣＰＵによってコンピュータコマンドを実行する工程と、
を備える方法。
【請求項２３】
請求項２２記載の方法であって、
前記ＤＶＤユニットは、
ハードウェアで実現されたＭＰＥＧデコーダと、
前記ＭＰＥＧデコーダに結合されてＤＶＤからＭＰＥＧデータを読み出すよう構成されたＤＶＤリーダユニットと、
含む方法。
【請求項２４】
請求項２３記載の方法であって、
前記表示ユニットは、前記第２タイプインタフェースによって前記ＭＰＥＧデコーダに結合されたフォーマット変換ユニットを含む、方法。
【請求項２５】
請求項２４記載の方法であって、
前記生成する工程は、
前記ＭＰＥＧデータを前記ＤＶＤリーダユニットによって読み出す工程と、
前記ＭＰＥＧデータを前記ＭＰＥＧデコーダに渡す工程と、
前記ＭＰＥＧデータをデコードすることによってネイティブフォーマットを有するビデオデータを形成する工程と、
前記ネイティブフォーマットのビデオデータを前記フォーマット変換器に前記第２タイプインタフェースによって渡す工程と、
前記ネイティブフォーマットのビデオデータをフォーマットすることによって、前記表示ユニットに組み込まれたディスプレイ上で表示するのに適した表示可能なフォーマットのビデオデータを形成する工程と、
を含む方法。
【請求項２６】
請求項２１に記載の方法であって、
前記第１タイプインタフェースはＬＶＤＳタイプのインタフェースであって、前記第２タイプインタフェースはＩＴＵ−６５６準拠のタイプのインタフェースである、方法。
【請求項２７】
請求項２１記載の方法であって、
前記バッテリ駆動コンピュータは、ラップトップコンピュータ又はノートブックコンピュータである、方法。
【請求項２８】
バッテリ駆動コンピュータ上でＤＶＤを再生するためのコンピュータプログラムであって、
ビデオ再生専用モードにおいて、必要に応じてＣＰＵの電源をオフするコンピュータコードと、
前記ＣＰＵとは分離された別個のＤＶＤユニットの電源をオンするコンピュータコードと、
前記ＤＶＤユニットによってＤＶＤメディアデータを生成するコンピュータコードと、
前記ＤＶＤメディアデータを表示ユニットに送るコンピュータコードと、
前記表示ユニット上に前記ＤＶＤメディアデータのビデオ部分を表示するコンピュータコードと、
を備えるコンピュータプログラム。
【請求項２９】
請求項２８記載のコンピュータプログラムであって、さらに、
前記ＣＰＵの電源をオンするコンピュータコードと、
前記ＤＶＤユニットの電源をオフするコンピュータコードと、
前記ＣＰＵによってコンピュータコマンドを実行するコンピュータコードと、
を備えるコンピュータプログラム。
【請求項３０】
請求項２９記載のコンピュータプログラムであって、
前記ＤＶＤユニットは、
ハードウェアで実現されたＭＰＥＧデコーダと、
前記ＭＰＥＧデコーダに結合されてＤＶＤからＭＰＥＧデータを読み出すよう構成されたＤＶＤリーダユニットと、
含むコンピュータプログラム。
【請求項３１】
低電力モードでのＤＶＤの再生に適したバッテリ駆動コンピュータであって、
ビデオ再生専用モードにおいて、必要に応じて電源がオフされるように構成されたＣＰＵと、
前記ＣＰＵとは分離された別個のＤＶＤユニットであって、前記ビデオ再生専用モードにおいて前記ＣＰＵの助力無しに動作することが可能であり、ＤＶＤメディアデータを生成するＤＶＤユニットと、
前記ＤＶＤユニットに結合され、前記ビデオ再生専用モードにおいて前記ＣＰＵの助力無しに前記ＤＶＤメディアデータのビデオ部分を表示することによって、消費電力を低減し、バッテリ寿命を増加させるように構成された表示ユニットと、
を備える方法。